(57)【要約】【課題】電子機器をプロジェクタと接続し、機器キー操作の手順を口頭あるいは装置本体を指差し説明する必要なく、キー操作に対応する動作画面と共に容易に投影表示させる。【解決手段】プロジェクタに関数電卓を接続する。関数電卓のキーボードのカラー画像(17e)およびそのキーボードが有する各キーのキー情報（キーコード）と該キーボード画像(17e)上でのキー位置（座標）とを対応付けて示すキー情報−キー位置テーブルがプロジェクタへ送信され、キーボード画像(17e)がスクリーン37へ投影表示される。関数電卓でのキー入力操作が行われる都度、入力キー情報(34e)および更新表示画面データ(17d)がプロジェクタへ送信され、キーボード画像(17e)上の入力キー位置が囲みマークMkにより識別表示されると共に、入力キー情報(34e)に対応するキー名称（キーキャラクタ）も順次一連にして投影表示され、さらに更新された電卓表示画面(17d)も投影表示される。【選択図】      図８
2008108132.tif 000002
【特許請求の範囲】
【請求項１】
キーボードと表示画面を有し、当該キーボードでのキー操作に応じた処理を実行し表示画面を更新表示させる電子機器であって、
前記キーボードの画像を記憶するキーボード画像記憶手段と、
前記キーボード内の各キーに対応するキー位置の情報を記憶するキー位置情報記憶手段と、
前記キーボードでのキー操作に応じて更新される表示画面のデータを記憶する表示画面記憶手段と、
外部のプロジェクタによって前記キーボードの画像を投影表示させるために、前記キーボード画像記憶手段により記憶されたキーボードの画像および前記キー位置情報記憶手段により記憶されたキー位置情報を前記プロジェクタへ送信するキーボード情報送信手段と、
前記キーボードのキー入力が検知される都度、前記プロジェクタによって投影表示されたキーボード画像上で当該入力されたキー位置を識別して投影表示させると共に当該キー入力に応じて更新された表示画面も前記プロジェクタによって投影表示させるために、当該入力されたキー情報と前記表示画面記憶手段により記憶された表示画面のデータを前記プロジェクタへ送信するキー入力対応情報送信手段と、
を備えたことを特徴とする電子機器。
【請求項２】
キーボードでのキー操作に応じた処理を実行し表示画面を更新表示させる電子機器が接続されるプロジェクタであって、
前記電子機器のキーボードの画像および該キーボード内の各キーに対応するキー位置の情報を受信するキーボード情報受信手段と、
このキーボード情報受信手段により受信された前記電子機器のキーボードの画像を投影表示させるキーボード画像投影制御手段と、
前記電子機器からそのキーボードのキー入力に応じて送信されたキー情報および当該キー入力に応じて更新された表示画面のデータを受信するキー入力対応情報受信手段と、
このキー入力対応情報受信手段により受信されたキー情報に基づいて前記キーボード情報受信手段により受信されたキーボード内の各キーに対応するキー位置の情報から前記キー入力されたキー位置を取得するキー位置取得手段と、
前記キーボード画像投影制御手段により投影表示された前記電子機器のキーボードの画像について前記キー位置取得手段により取得されたキー位置を識別して投影表示させるキー位置投影制御手段と、
このキー位置投影制御手段により前記キー入力に対応したキー位置が識別されて投影表示されたキーボード画像と共に、前記キー入力対応情報受信手段により受信された表示画面を投影表示させる表示画面投影制御手段と、
を備えたことを特徴とするプロジェクタ。
【請求項３】
さらに、
前記キー位置投影制御手段により前記キー入力に対応したキー位置が識別されて投影表示されたキーボード画像と共に、前記キー入力対応情報受信手段により受信されたキー情報に対応するキーキャラクタを投影表示させるキーキャラクタ投影制御手段を備えたことを特徴とする請求項２に記載のプロジェクタ。
【請求項４】
前記キーキャラクタ投影制御手段は、前記キー入力対応情報受信手段により受信されたキー情報に対応するキーキャラクタを当該キー情報の受信の都度一連にして投影表示させることを特徴とする請求項３に記載のプロジェクタ。
【請求項５】
前記電子機器は、無線通信によって接続されることを特徴とする請求項２ないし請求項４の何れか１項に記載のプロジェクタ。
【請求項６】
前記キーボード情報受信手段は、前記電子機器のキーボードの画像および該キーボード内の各キーに対応するキー位置の情報を、外部の通信端末を介しＷｅｂサイトからダウンロードして受信することを特徴とする請求項２ないし請求項５の何れか１項に記載のプロジェクタ。
【請求項７】
キーボードと表示画面を有し、当該キーボードでのキー操作に応じた処理を実行し表示画面を更新表示させる電子機器のコンピュータを制御するための電子機器制御プログラムであって、
前記コンピュータを、
外部のプロジェクタによって前記キーボードの画像を投影表示させるために、予めメモに記憶されたキーボードの画像および該キーボード内の各キーに対応するキー位置の情報を通信手段によって前記プロジェクタへ送信させるキーボード情報送信制御手段、
前記キーボードのキー入力が検知される都度、前記プロジェクタによって投影表示されたキーボード画像上で当該入力されたキー位置を識別して投影表示させると共に当該キー入力に応じて更新された表示画面も前記プロジェクタによって投影表示させるために、当該入力されたキー情報と前記更新された表示画面のデータを前記通信手段によってプロジェクタへ送信させるキー入力対応情報送信制御手段、
として機能させるようにしたコンピュータ読み込み可能な電子機器制御プログラム。
【請求項８】
キーボードでのキー操作に応じた処理を実行し表示画面を更新表示させる電子機器が接続されるプロジェクタのコンピュータを制御するためのプロジェクタ制御プログラムであって、
前記コンピュータを、
前記電子機器のキーボードの画像および該キーボード内の各キーに対応するキー位置の情報を通信手段によって受信させるキーボード情報受信制御手段、
このキーボード情報受信制御手段の制御により受信された前記電子機器のキーボードの画像を画像出力部によって投影表示させるキーボード画像投影制御手段、
前記電子機器からそのキーボードのキー入力に応じて送信されたキー情報および当該キー入力に応じて更新された表示画面のデータを前記通信手段によって受信させるキー入力対応情報受信制御手段、
このキー入力対応情報受信制御手段の制御により受信されたキー情報に基づいて前記キーボード情報受信制御手段の制御により受信されたキーボード内の各キーに対応するキー位置の情報から前記キー入力されたキー位置を取得するキー位置取得手段、
前記キーボード画像投影制御手段により投影表示された前記電子機器のキーボードの画像について前記キー位置取得手段により取得されたキー位置を識別して投影表示させるキー位置投影制御手段、
このキー位置投影制御手段により前記キー入力に対応したキー位置が識別されて投影表示されたキーボード画像と共に、前記キー入力対応情報受信制御手段の制御により受信された表示画面を前記画像出力部によって投影表示させる表示画面投影制御手段、
として機能させるようにしたコンピュータ読み込み可能なプロジェクタ制御プログラム。
【発明の詳細な説明】
【技術分野】
【０００１】
本発明は、電子機器のユーザ操作に対応した動作状態をプロジェクタによって大画面に表示させるための電子機器、プロジェクタ、電子機器制御プログラム、プロジェクタ制御プログラムに関する。
【背景技術】
【０００２】
近年、関数計算などの多種多様な計算処理が行える関数電卓と称する小型電子式計算機を、教育現場に持ち込んで使用することが広く行われるようになっている。
【０００３】
この小型電子式計算機を例えば計算の学習のために先生と生徒の両者が持って使用する場合に、先生が授業によって進める範囲の学習内容を予めその手順通りに操作・編集し、その計算動作に伴う各画面を順次記憶させておく。これにより、先生が実際の授業中に簡単な操作でその日の学習内容に対応した計算動作の各画面を順次再現表示させ、これを生徒に見せて示す（プレゼンテーションする）ことで、この計算機を利用した種々の計算の学習が効率良く行えるようにした小型電子式計算機（電子機器）が考えられている（例えば、特許文献１参照）。
【０００４】
そして、このような小型電子式計算機の表示画面データをプロジェクタに転送して大画面に投影表示させることで、さらに効率良く前記計算機を利用した種々の計算の学習を行うことが考えられる。
【特許文献１】特開２００４−１５２０７５号公報
【発明の開示】
【発明が解決しようとする課題】
【０００５】
前記従来の小型電子式計算機およびプロジェクタを使用して計算機を利用した種々の計算の学習を行う場合、計算機において予め記憶させた計算動作に伴う各画面データを順次プロジェクタによって大画面に投影表示させ、生徒全員に容易に開示表示させることができるものの、どのようなキー操作を行っているかの実際の操作手順については、先生が口頭で説明するか、あるいは計算機本体のキーボードを見せながら指差し操作する必要がある。
【０００６】
このため、使い勝手が悪くその内容を簡単且つ明確に伝えることができないばかりでなく、円滑な授業の妨げにもなる問題がある。
【０００７】
本発明は、このような課題に鑑みなされたもので、キー操作の手順を口頭あるいは装置本体を指差して説明する必要なく、キー操作に対応する動作画面と共に容易に投影表示させることが可能になる電子機器、プロジェクタ、電子機器制御プログラム、プロジェクタ制御プログラムを提供することを目的とする。
【課題を解決するための手段】
【０００８】
本発明の電子機器は、キーボードと表示画面を有し、当該キーボードでのキー操作に応じた処理を実行し表示画面を更新表示させる電子機器であって、前記キーボードの画像を記憶するキーボード画像記憶手段と、前記キーボード内の各キーに対応するキー位置の情報を記憶するキー位置情報記憶手段と、前記キーボードでのキー操作に応じて更新される表示画面のデータを記憶する表示画面記憶手段と、外部のプロジェクタによって前記キーボードの画像を投影表示させるために、前記キーボード画像記憶手段により記憶されたキーボードの画像および前記キー位置情報記憶手段により記憶されたキー位置情報を前記プロジェクタへ送信するキーボード情報送信手段と、前記キーボードのキー入力が検知される都度、前記プロジェクタによって投影表示されたキーボード画像上で当該入力されたキー位置を識別して投影表示させると共に当該キー入力に応じて更新された表示画面も前記プロジェクタによって投影表示させるために、当該入力されたキー情報と前記表示画面記憶手段により記憶された表示画面のデータを前記プロジェクタへ送信するキー入力対応情報送信手段とを備えたことを特徴としている。
【０００９】
本発明のプロジェクタは、キーボードでのキー操作に応じた処理を実行し表示画面を更新表示させる電子機器が接続されるプロジェクタであって、前記電子機器のキーボードの画像および該キーボード内の各キーに対応するキー位置の情報を受信するキーボード情報受信手段と、このキーボード情報受信手段により受信された前記電子機器のキーボードの画像を投影表示させるキーボード画像投影制御手段と、前記電子機器からそのキーボードのキー入力に応じて送信されたキー情報および当該キー入力に応じて更新された表示画面のデータを受信するキー入力対応情報受信手段と、このキー入力対応情報受信手段により受信されたキー情報に基づいて前記キーボード情報受信手段により受信されたキーボード内の各キーに対応するキー位置の情報から前記キー入力されたキー位置を取得するキー位置取得手段と、前記キーボード画像投影制御手段により投影表示された前記電子機器のキーボードの画像について前記キー位置取得手段により取得されたキー位置を識別して投影表示させるキー位置投影制御手段と、このキー位置投影制御手段により前記キー入力に対応したキー位置が識別されて投影表示されたキーボード画像と共に、前記キー入力対応情報受信手段により受信された表示画面を投影表示させる表示画面投影制御手段とを備えたことを特徴としている。
【００１０】
また、本発明のプロジェクタは、前記キー位置投影制御手段により前記キー入力に対応したキー位置が識別されて投影表示されたキーボード画像と共に、前記キー入力対応情報受信手段により受信されたキー情報に対応するキーキャラクタを投影表示させるキーキャラクタ投影制御手段をさらに備えたことを特徴としている。
【００１１】
また、本発明のプロジェクタにおいて、前記キーキャラクタ投影制御手段は、前記キー入力対応情報受信手段により受信されたキー情報に対応するキーキャラクタを当該キー情報の受信の都度一連にして投影表示させることを特徴としている。
【００１２】
また、本発明のプロジェクタにおいて、前記電子機器は、無線通信によって接続されることを特徴としている。
【００１３】
また、本発明のプロジェクタにおいて、前記キーボード情報受信手段は、前記電子機器のキーボードの画像および該キーボード内の各キーに対応するキー位置の情報を、外部の通信端末を介しＷｅｂサイトからダウンロードして受信することを特徴としている。
【発明の効果】
【００１４】
本発明によれば、キー操作の手順を口頭あるいは装置本体を指差して説明する必要なく、キー操作に対応する動作画面と共に容易に投影表示させることが可能になる電子機器、プロジェクタ、電子機器制御プログラム、プロジェクタ制御プログラムを提供できる。
【発明を実施するための最良の形態】
【００１５】
以下図面により本発明の実施の形態について説明する。
【００１６】
図１は、本発明の電子機器・プロジェクタの実施形態に係る関数電卓１０およびプロジェクタ３０による計算機学習投影システムの構成を示すブロック図である。
【００１７】
図２は、前記関数電卓１０の外観構成を示す正面図である。
【００１８】
関数電卓１０は、コンピュータである制御部（ＣＰＵ）１１を備えている。
【００１９】
制御部（ＣＰＵ）１１は、ＲＯＭ１２に予め記憶されているシステムプログラム、あるいはメモリカード１３からＩ／Ｏポート１４を介してＲＯＭ１２内のシステム領域に記憶された計算機制御プログラム、あるいはＩ／Ｏポート１４から外部ＰＣ１５を経由して接続される通信ネットワークＮ上のＷｅｂサーバ（プログラムサーバ）１６からダウンロードされて前記ＲＯＭ１２内のシステム領域に記憶された計算機制御プログラムに従いＤＲＡＭ１７を作業用メモリ（ワークメモリ）として回路各部の動作を制御する。そして、前記ＲＯＭ１２に予め記憶されたシステムプログラムやそのシステム領域に読み込まれた計算機制御プログラムは、キーボード１８からのキー入力信号に応じて起動される。
【００２０】
なお、前記ＲＯＭ１２に記憶される計算機制御プログラムには、本関数電卓１０の全動作中に渡ってその表示動作の制御を行うための表示制御プログラムも含まれており、キー入力された数値，記号，計算式の表示、グラフの描画表示、演算結果の表示、カーソル（ポインタ）の表示・移動表示などが制御される。また、この表示制御プログラムにはさらに、本関数電卓１０をプロジェクタ３０に接続した場合に、該プロジェクタ３０によって関数電卓１０におけるキー操作状態およびこれに伴う動作画面を表示させるための必要情報を送信するプロジェクタ対応制御プログラムも含まれる。
【００２１】
制御部（ＣＰＵ）１１には、前記ＲＯＭ１２、メモリカード１３、Ｉ／Ｏポート１４、ＤＲＡＭ１７、キーボード１８が接続される他に、液晶駆動回路１９を介して液晶表示部（ＬＣＤ）２０が接続される。
【００２２】
前記Ｉ／Ｏポート１４には、当該関数電卓１０におけるキー操作情報およびこのキー操作に対応する動作画面情報を共に投影表示させるためのプロジェクタ３０が接続される。
【００２３】
前記キーボード１８には、図２に示すように、各種関数の指定や計算形式の指定などを行う関数・機能キーと共に、演算子キー、テンキー、カーソルキーなどの種々のキーが設けられる。
【００２４】
図３は、前記関数電卓１０のＤＲＡＭ１７に確保されたデータメモリの内容を示す図である。
【００２５】
前記ＤＲＡＭ１７には、図３に示すように、入力された計算式のデータを記憶するための入力式データメモリ１７ａ、この入力式データメモリ１７ａに記憶された計算式に従った計算途中のデータを記憶するための計算処理データメモリ１７ｂ、この計算処理データメモリ１７ｂでの計算処理データに従って計算された計算結果のデータを記憶するための計算結果データメモリ１７ｃ、前記入力式、計算途中、計算結果の各データをそのそれぞれの処理過程に応じて表示させるための表示画面のデータが記憶される表示画面データメモリ１７ｄ、本関数電卓１０のキーボード１８（図２参照）そのもののカラー画像データが記憶されるキーボード画像（カラー）データメモリ１７ｅ、このキーボード画像（カラー）データメモリ１７ｅに記憶されたキーボード画像をプロジェクタ３０によってスクリーン３７上のどの位置に投影表示させるかを予め設定するためのキーボード表示位置のデータが記憶されるキーボード表示位置データメモリ１７ｆ、前記キーボード画像（カラー）データメモリ１７ｅに記憶されたキーボード１８のカラー画像領域において各キー毎の名称（キー情報）とその位置情報（座標）とを対応付けて記憶するためのキー情報−キー位置テーブル１７ｇなどが備えられる。
【００２６】
一方、プロジェクタ３０は、コンピュータである制御部（ＣＰＵ）３１を備えている。
【００２７】
制御部（ＣＰＵ）３１は、ＲＯＭ３２に予め記憶されているシステムプログラム、あるいはＩ／Ｏポート３３から外部ＰＣ１５を経由して接続される通信ネットワークＮ上のＷｅｂサーバ（プログラムサーバ）１６からダウンロードされて前記ＲＯＭ３２内のシステム領域に記憶されたプロジェクタ制御プログラムに従いＲＡＭ３４を作業用メモリ（ワークメモリ）として回路各部の動作を制御する。そして、前記ＲＯＭ３２に予め記憶されたシステムプログラムやそのシステム領域に読み込まれたプロジェクタ制御プログラムは、キー入力部３５からのキー入力信号や前記関数電卓１０から受信される各種のデータ信号に基づき起動される。
【００２８】
制御部（ＣＰＵ）３１には、前記ＲＯＭ３２、Ｉ／Ｏポート３３、ＲＡＭ３４、キー入力部３５が接続される他に、画像出力部３６が接続され、スクリーン３７に対する関数電卓１０のキー操作状態およびその動作画面の投影表示制御が行われる。
【００２９】
図４は、前記プロジェクタ３０のＲＡＭ３４に確保されたデータメモリの内容を示す図である。
【００３０】
前記ＲＡＭ３４には、図４に示すように、画像出力部３６によってスクリーン３７へ投影表示させるべき画像データが記憶される出力画像データメモリ３４ａ、Ｉ／Ｏポート３３を介して接続された前記関数電卓１０のキーボード画像データ（１７ｅ）がそのまま転送されて記憶保持されるキーボード画像（カラー）データメモリ３４ｂ、同Ｉ／Ｏポート３３を介して接続された前記関数電卓１０のキーボード表示位置データ（１７ｆ）がそのまま転送されて記憶されるキーボード表示位置データメモリ３４ｃ、同関数電卓１０のキー情報−キー位置テーブル（１７ｇ）がそのまま転送されて記憶されるキー情報−キー位置テーブル３４ｄ、そして、同関数電卓１０において入力されたキーの情報（例えばキーコード）が受信されて記憶される入力キー情報メモリ３４ｅ、同Ｉ／Ｏポート３３を介して接続された関数電卓１０の表示画面データ（１７ｄ）がそのまま転送されて記憶保持される表示画面データメモリ３４ｆなどが備えられる。
【００３１】
このような関数電卓１０およびプロジェクタ３０による計算機学習投影システムでは、関数電卓１０におけるキー操作に応じた計算処理に伴い、その入力キー情報および対応する計算動作の表示画面データ（１７ｄ）がプロジェクタ３０へ送信される。そして、プロジェクタ３０に転送された入力キー情報３４ｅおよび表示画面データ３４ｆ（１７ｄ）のスクリーン３７への投影表示と共に、キーボード画像データ３４ｂ（１７ｅ）もキーボード表示位置データ３４ｃ（１７ｆ）に従った位置に投影表示させ、当該キーボード画像データ３４ｂ（１７ｅ）上にて前記入力キー情報３４ｅに従ったキー位置に入力キーマークＭを投影表示させる。
【００３２】
これにより、関数電卓１０のキー操作に伴う計算動作の表示画面だけでなく、キー操作の内容もリアル且つ明確に分かり易く投影表示させることができる。
【００３３】
次に、前記構成の関数電卓１０およびプロジェクタ３０による計算機学習投影システムの動作について説明する。
【００３４】
図５は、前記計算機学習投影システムにおける関数電卓１０とプロジェクタ３０との接続時処理を示すフローチャートであり、同図（Ａ）は関数電卓１０側の接続時処理を示すフローチャート、同図（Ｂ）はプロジェクタ３０側の接続時処理を示すフローチャートである。
【００３５】
すなわち、関数電卓１０とプロジェクタ３０との接続に伴い、図５における各対応する接続時処理が起動されると、先ず、関数電卓１０のキーボード画像（カラー）データメモリ１７ｅに記憶されているキーボード１８のカラー画像データが読み出されプロジェクタ３０へ送信される（ステップＡ１）。
【００３６】
また同様に、関数電卓１０のキーボード表示位置データメモリ１７ｆに記憶されている前記キーボード画像の画面内表示位置を示すデータ、およびキー情報−キー位置テーブル１７ｇが読み出され、何れのデータもプロジェクタ３０へ送信される（ステップＡ２）。
【００３７】
プロジェクタ３０において、前記関数電卓１０から送信されたキーボード１８のカラー画像データ（１７ｅ）が受信されキーボード画像（カラー）データメモリ３４ｂに記憶された後（ステップＢ１）、さらに同関数電卓１０から送信されたキーボード表示位置データ（１７ｆ）およびキー情報−キー位置テーブル（１７ｇ）が受信され、それぞれキーボード表示位置データメモリ３４ｃおよびキー情報−キー位置テーブル３４ｄとして記憶されると（ステップＢ２）、そのうちキーボード１８のカラー画像データ（３４ｂ）が読み出されてキーボード表示位置データ（３４ｃ）に基づき指示される出力画像データメモリ３４ａ内の領域に書き込まれ、画像出力部３６からスクリーン３７に対して投影表示される（図８〜図１３参照）（ステップＢ３）。
【００３８】
なお、前記プロジェクタ３０において、前記キーボード１８のカラー画像データ（３４ｂ）、キーボード表示位置データ（３４ｃ）、およびキー情報−キー位置テーブル３４ｄは、何れも前記図５（Ｂ）におけるプロジェクタ側接続時処理に従って接続中の関数電卓１０自身から受信取得するものとして説明したが、次の図６で示すプロジェクタ側ＰＣ接続処理（ステップＢ１′，Ｂ２′，Ｂ３）のように、Ｉ／Ｏポート３３に接続した外部ＰＣ１５を経由して接続されるインターネット（Ｎ）上に開設された前記関数電卓１０の関連Ｗｅｂサイト（１６）からダウンロードして取得するものとしてもよい。
【００３９】
図６は、前記計算機学習投影システムのプロジェクタ３０におけるＰＣ接続経由での関数電卓関連情報のダウンロード処理を示すフローチャートである。
【００４０】
このように、プロジェクタ３０において、関数電卓１０のキーボード１８に係る各情報を、その関連Ｗｅｂサイト（１６）から予めダウンロードして取得することで、実際の関数電卓１０を接続する以前にその接続機種にあったキーボード１８の各情報を容易に取得して準備できるようになる。
【００４１】
図７は、前記計算機学習投影システムにおける関数電卓１０とプロジェクタ３０によるキー操作対応処理を示すフローチャートであり、同図（Ａ）は関数電卓１０側のキー入力対応処理を示すフローチャート、同図（Ｂ）はプロジェクタ３０側のキー情報受信時処理を示すフローチャートである。
【００４２】
例えば関数電卓１０を使用した計算学習場面での該関数電卓１０において、キーボード１８からのキー入力信号が検知されると、図７（Ａ）におけるキー入力対応処理が起動され、Ｉ／Ｏポート１４を介したプロジェクタ３０の接続中であるか否かが判断される（ステップＡ１１）。
【００４３】
ここで、プロジェクタ３０が接続中であると判断されると（ステップＡ１１（ＹＥＳ））、前記キーボード１８からのキー入力信号に対応したキー情報（例えばキーコード）がプロジェクタ３０に対して送信される（ステップＡ１２）。
【００４４】
そして、前記キーボード１８からのキー入力信号に対応した通常入力処理あるいは通常計算処理などが実行され、処理内容に応じた表示画面データが生成されて表示画面データメモリ１７ｄに記憶更新される（ステップＡ１３）。
【００４５】
すると再び、Ｉ／Ｏポート１４を介したプロジェクタ３０の接続中であるか否かが判断され（ステップＡ１４）、該プロジェクタ３０の接続中であると判断された場合には（ステップＡ１４（ＹＥＳ））、前記表示画面データメモリ１７ｄに記憶更新された表示画面データがプロジェクタ３０に対して送信される（ステップＡ１５）。
【００４６】
プロジェクタ３０において、前記関数電卓１０から送信されたキー情報（例えばキーコード）が受信され入力キー情報メモリ３４ｅに記憶されると、キー情報−キー位置テーブル３４ｄに基づいて当該入力されたキー情報に対応したキーボード画像（３４ｂ）上でのキー位置（座標）が取得される（ステップＢ１１）。
【００４７】
ここで、ユーザ操作に応じて予め設定されたキー位置表示の設定内容が“囲み表示”として設定されているか“点滅表示”として設定されているかが判断され（ステップＢ１２）、“囲み表示”として設定されていると判断された場合には、前記ステップＢ３において既に画像出力部３６からスクリーン３７に投影表示されているキーボード１８のカラー画像（３４ｂ）上で、前記ステップＢ１１にて取得された今回の入力キー情報に対応したキー位置（座標）に入力キー囲みマークＭk（図８参照）が投影表示される（ステップＢ１３ｋ）。
【００４８】
図８は、前記計算機学習投影システムにおける関数電卓１０とプロジェクタ３０によるキー操作対応処理に伴うキー操作状態とプロジェクタ表示状態との第１具体例（その１）を示す図である。
【００４９】
図９は、前記計算機学習投影システムにおける関数電卓１０とプロジェクタ３０によるキー操作対応処理に伴うキー操作状態とプロジェクタ表示状態との第１具体例（その２）を示す図である。
【００５０】
すなわち、例えば図８（Ａ）に示すように、関数電卓１０のキーボード１８における「√」キーが入力された場合には、その入力されたキー情報「√」がプロジェクタ３０へ送信されることに応じて（ステップＡ１２→Ｂ１１）、画像出力部３６からスクリーン３７上に投影表示されているキーボード画像（３４ｂ）の「√」キーのキー位置にキー囲みマークＭkが投影表示される（ステップＢ１３ｋ）。
【００５１】
なお、ステップＢ１２において、ユーザ操作に応じて予め設定されたキー位置表示の設定内容が“点滅表示”として設定されていると判断された場合には、画像出力部３６からスクリーン３７上に投影表示されているキーボード画像（３４ｂ）の「√」キーのキー位置に対応する領域が点滅状態にして投影表示される（ステップＢ１３ｔ）。
【００５２】
そして、同図８（Ａ）に示すように、前記入力キー情報（３４ｅ）であるキー名称「√」が画像出力部３６からスクリーン３７上の所定の領域に投影表示される（ステップＢ１４）。
【００５３】
するとさらに、前記関数電卓１０から生成更新されて送信された表示画面データ（１７ｄ）がプロジェクタ３０に受信されてその表示画面データメモリ３４ｆに更新記憶され（ステップＢ１５）、同図８（Ａ）に示すように、前記キーボード画像（３４ｂ）、入力キー囲みマークＭk、入力キー情報「√」（３４ｅ）が投影表示されているスクリーン３７上の所定の位置に画像出力部３６から投影されて更新表示される（ステップＢ１６）。この際、電卓表示画面データ３４ｆ（１７ｄ）は、次のキー入力位置を示すカーソルＣ付きで表示される。
【００５４】
これにより、関数電卓１０においてキー入力操作を行うと、プロジェクタ３０によってその入力キー情報「√」（３４ｅ）および当該キー入力操作に応じて生成更新された電卓表示画面（３４ｆ）がスクリーン３７上に共に投影表示されるだけでなく、同スクリーン３７上に投影表示させたキーボード画像（３４ｂ）の入力キー情報「√」（３４ｅ）に対応するキー位置に入力キー囲みマークＭkなどの識別表示を施すことができる。
【００５５】
この後続けて、図８（Ｂ）に示すように、関数電卓１０の分数キーが入力されると、プロジェクタ３０により投影表示されるスクリーン３７上には、前記同様にキーボード画像（３４ｂ）の入力された分数キーのキー位置に入力キー囲みマークＭkが投影表示され（ステップＡ１２→Ｂ１１〜Ｂ１３ｋ）、これと共に、入力された分数キー情報（３４ｅ）に対応するキー名称（この場合には分数マーク）が所定の領域に一連に追加投影表示される（ステップＢ１４）。そしてさらに、当該分数キーの入力に応じて更新された電卓表示画面（３４ｆ）が同スクリーン３７上の所定の位置に更新されて投影表示される（ステップＡ１５→Ｂ１５，Ｂ１６）。
【００５６】
この後続けて、図８（Ｃ）〜図９（Ｆ）に示すように、関数電卓１０のキーボード１８が操作され、「２」キー、「ｘ2」キー、「↓」キー、「５」キーが順次入力されると、その都度、前記同様の計算機側キー入力対応処理（ステップＡ１１〜Ａ１５）およびプロジェクタ側キー情報受信時処理（ステップＢ１１〜Ｂ１６）が実行され、スクリーン３７上でのキーボード画像（３４ｂ）における各入力キー位置の識別投影表示（Ｍｋ）、入力キー情報（３４ｅ）に対応した各キー名称の一連にした追加投影表示、更新された電卓表示画面（３４ｆ）の更新投影表示が行われる。
【００５７】
したがって、前記構成の関数電卓１０およびプロジェクタ３０による計算機学習投影システムによれば、プロジェクタ３０に関数電卓１０を接続すると、当該関数電卓１０のキーボード１８のカラー画像（１７ｅ）およびそのキーボード１８が有する各キーのキー情報（例えばキーコード）と該キーボード画像（１７ｅ）上でのキー位置（座標）とを対応付けて示すキー情報−キー位置テーブル１７ｇがプロジェクタ３０へ送信され、先ず、キーボード画像がスクリーン３７へ投影表示される。そして、関数電卓１０でのキー入力操作が行われる都度、入力されたキー情報および更新された表示画面データ（１７ｄ）がプロジェクタ３０へ送信され、前記キーボード画像上の入力キー情報に対応するキー位置が囲みマークＭｋなどにより識別表示されると共に、入力キー情報に対応するキー名称（キーキャラクタ）も順次一連にして投影表示され、さらに更新された電卓表示画面も投影更新表示されるので、関数電卓１０での一連のキー入力操作に応じた計算動作に伴う各表示画面データを順次プロジェクタ３０によって大画面に投影表示させることができるだけでなく、当該キー入力操作の一連の操作手順をも実際そのものに明確に投影表示させることができる。
【００５８】
図１０は、前記計算機学習投影システムにおける関数電卓１０とプロジェクタ３０によるアルファベット記号を含んだキー操作対応処理に伴うキー操作状態とプロジェクタ表示状態との第２具体例（その１）を示す図である。
【００５９】
図１１は、前記計算機学習投影システムにおける関数電卓１０とプロジェクタ３０によるアルファベット記号を含んだキー操作対応処理に伴うキー操作状態とプロジェクタ表示状態との第２具体例（その２）を示す図である。
【００６０】
すなわち、関数電卓１０において、計算式「Ａ×Ｂ」と入力するために、図１０（Ａ）〜図１１（Ｆ）に示すようにキーボード１８が操作され、「AC」キー、「ALPHA」キー、「A[i]」キー、「×」キー、「ALPHA」キー、「B[□/□]」キーが順次入力されると、その都度、前述同様の計算機側キー入力対応処理（ステップＡ１１〜Ａ１５）およびプロジェクタ側キー情報受信時処理（ステップＢ１１〜Ｂ１６）が実行され、スクリーン３７上でのキーボード画像（３４ｂ）における各入力キー位置の識別投影表示（Ｍｋ）（ステップＡ１１，Ａ１２→Ｂ１１〜Ｂ１３ｋ）、一連の入力キー情報（３４ｅ）に対応した各キー名称の一連投影表示（ステップＢ１４）、更新された電卓表示画面（３４ｆ）の更新投影表示（ステップＡ１３〜Ａ１５→Ｂ１５，Ｂ１６）が行われる。
【００６１】
これにより、一連のキー入力操作中にアルファベット記号を入力するための機能キーである「ALPHA」キーの入力操作が含まれていても、前述同様に、関数電卓１０での一連のキー入力操作に応じた計算動作に伴う各表示画面データを順次プロジェクタ３０によって大画面に投影表示させることができるだけでなく、当該キー入力操作の一連の操作手順をも実際そのものに明確に投影表示させることができる。
【００６２】
図１２は、前記計算機学習投影システムにおける関数電卓１０とプロジェクタ３０による「SHIFT」キー入力を含んだキー操作対応処理に伴うキー操作状態とプロジェクタ表示状態との第３具体例（その１）を示す図である。
【００６３】
図１３は、前記計算機学習投影システムにおける関数電卓１０とプロジェクタ３０による「SHIFT」キー入力を含んだキー操作対応処理に伴うキー操作状態とプロジェクタ表示状態との第３具体例（その２）を示す図である。
【００６４】
すなわち、関数電卓１０において、計算式「Sin-1３０」と入力するために、図１２（Ａ）〜図１３（Ｄ）に示すようにキーボード１８が操作され、「SHIFT」キー、「Sin-1［sin]」キー、「３」キー、「０」キーが順次入力されると、その都度、前述同様の計算機側キー入力対応処理（ステップＡ１１〜Ａ１５）およびプロジェクタ側キー情報受信時処理（ステップＢ１１〜Ｂ１６）が実行され、スクリーン３７上でのキーボード画像（３４ｂ）における各入力キー位置の識別投影表示（Ｍｋ）（ステップＡ１１，Ａ１２→Ｂ１１〜Ｂ１３ｋ）、一連の入力キー情報（３４ｅ）に対応した各キー名称の一連投影表示（ステップＢ１４）、更新された電卓表示画面（３４ｆ）の更新投影表示（ステップＡ１３〜Ａ１５→Ｂ１５，Ｂ１６）が行われる。
【００６５】
これにより、一連のキー入力操作中にシフト後操作キーを入力するための機能キーである「SHIFT」キーの入力操作が含まれていても、前述同様に、関数電卓１０での一連のキー入力操作に応じた計算動作に伴う各表示画面データを順次プロジェクタ３０によって大画面に投影表示させることができるだけでなく、当該キー入力操作の一連の操作手順をも実際そのものに明確に投影表示させることができる。
【００６６】
なお、前記実施形態におけるプロジェクタ側キー情報受信時処理（図７（Ｂ）参照）では、ユーザ操作に応じて予め設定されたキー位置表示の設定内容である“囲み表示”または“点滅表示”の何れかに従って、スクリーン３７に対し投影表示されたキーボード画像３４ｂ（１７ｅ）上で入力キー情報３４ｅに対応するキー位置を“囲み表示（キー囲みマークＭｋ）”または“点滅表示”させて識別表示する構成としたが、次の図１４に示すように、例えば入力キー情報「５」３４ｅに対応するキーボード画像（３４ｂ）上でのキー位置を“カーソル表示（矢印マークＭｙ）”により指示して識別表示する構成としてもよい。
【００６７】
図１４は、前記計算機学習投影システムにおけるプロジェクタ３０においてキーボード画像（３４ｂ）上のキー入力位置を矢印マークＭｙに指示した場合の具体例を示す図である。
【００６８】
また、前記実施形態において、関数電卓１０とプロジェクタ３０とは、有線通信接続ではなく、無線通信接続とすることにより、例えば教室で使用する関数電卓１０をプロジェクタ３０の設置位置に縛られることなく自由な位置で操作できるようになる。
【００６９】
さらに、前記実施形態では、本発明の電子機器を関数電卓１０として実施し、当該関数電卓１０を使用した計算の学習を行う場合について説明したが、例えば小型ＰＣやＰＤＡ、携帯電話機など、キー入力操作に応じて処理動作し表示画面が更新される電子機器であれば、その操作・使用手順などについてユーザに講習する場合に、前記同様にプロジェクタ３０に接続してそのキー操作状態および動作表示画面を投影表示させ、容易且つ明確な講習作業を行うことができる。
【００７０】
なお、前記各実施形態において記載した計算機学習投影システムによる各処理の手法、すなわち、図５（Ａ）のフローチャートで示す計算機側接続時処理、図５（Ｂ）のフローチャートで示すプロジェクタ側接続処理、図６のフローチャートで示すプロジェクタ側ＰＣ接続処理、図７（Ａ）のフローチャートで示す計算機側キー入力対応処理、図７（Ｂ）のフローチャートで示すプロジェクタ側キー情報受信時処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体（１３）に格納して配布することができる。そして、小型電子式計算機や小型ＰＣ、ＰＤＡ、携帯電話などの種々の電子機器であるコンピュータ端末と該コンピュータ端末を接続可能なプロジェクタ３０は、この外部記憶媒体（１３）に記憶されたプログラムを内部メモリ（１２）（３２）に読み込み、この読み込んだプログラムによって動作が制御されることにより、前記各実施形態において説明した計算機（電子機器）学習投影機能を実現し、前述した手法による同様の処理を実行することができる。
【００７１】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）１６から前記のプログラムデータを取り込み、前述した計算機（電子機器）学習投影機能を実現することもできる。
【００７２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７３】
【図１】本発明の電子機器・プロジェクタの実施形態に係る関数電卓１０およびプロジェクタ３０による計算機学習投影システムの構成を示すブロック図。
【図２】前記関数電卓１０の外観構成を示す正面図。
【図３】前記関数電卓１０のＤＲＡＭ１７に確保されたデータメモリの内容を示す図。
【図４】前記プロジェクタ３０のＲＡＭ３４に確保されたデータメモリの内容を示す図。
【図５】前記計算機学習投影システムにおける関数電卓１０とプロジェクタ３０との接続時処理を示すフローチャートであり、同図（Ａ）は関数電卓１０側の接続時処理を示すフローチャート、同図（Ｂ）はプロジェクタ３０側の接続時処理を示すフローチャート。
【図６】前記計算機学習投影システムのプロジェクタ３０におけるＰＣ接続経由での関数電卓関連情報のダウンロード処理を示すフローチャート。
【図７】前記計算機学習投影システムにおける関数電卓１０とプロジェクタ３０によるキー操作対応処理を示すフローチャートであり、同図（Ａ）は関数電卓１０側のキー入力対応処理を示すフローチャート、同図（Ｂ）はプロジェクタ３０側のキー情報受信時処理を示すフローチャート。
【図８】前記計算機学習投影システムにおける関数電卓１０とプロジェクタ３０によるキー操作対応処理に伴うキー操作状態とプロジェクタ表示状態との第１具体例（その１）を示す図。
【図９】前記計算機学習投影システムにおける関数電卓１０とプロジェクタ３０によるキー操作対応処理に伴うキー操作状態とプロジェクタ表示状態との第１具体例（その２）を示す図。
【図１０】前記計算機学習投影システムにおける関数電卓１０とプロジェクタ３０によるアルファベット記号を含んだキー操作対応処理に伴うキー操作状態とプロジェクタ表示状態との第２具体例（その１）を示す図。
【図１１】前記計算機学習投影システムにおける関数電卓１０とプロジェクタ３０によるアルファベット記号を含んだキー操作対応処理に伴うキー操作状態とプロジェクタ表示状態との第２具体例（その２）を示す図。
【図１２】前記計算機学習投影システムにおける関数電卓１０とプロジェクタ３０による「SHIFT」キー入力を含んだキー操作対応処理に伴うキー操作状態とプロジェクタ表示状態との第３具体例（その１）を示す図。
【図１３】前記計算機学習投影システムにおける関数電卓１０とプロジェクタ３０による「SHIFT」キー入力を含んだキー操作対応処理に伴うキー操作状態とプロジェクタ表示状態との第３具体例（その２）を示す図。
【図１４】前記計算機学習投影システムにおけるプロジェクタ３０においてキーボード画像（３４ｂ）上のキー入力位置を矢印マークＭｙに指示した場合の具体例を示す図。
【符号の説明】
【００７４】
１０  …関数電卓（電子機器）
１１  …電卓側制御部（ＣＰＵ）
１２  …電卓側ＲＯＭ
１３  …メモリカード（外部記憶媒体）
１４  …電卓側Ｉ／Ｏポート（通信手段）
１５  …外部ＰＣ
１６  …Ｗｅｂサーバ
１７  …電卓側ＤＲＡＭ
１７ａ…入力式データメモリ
１７ｂ…計算処理データメモリ
１７ｃ…計算結果データメモリ
１７ｄ、３４ｆ…表示画面データメモリ
１７ｅ、３４ｂ…キーボード画像（カラー）データメモリ
１７ｆ、３４ｃ…キーボード表示位置データメモリ
１７ｇ、３４ｄ…キー情報−キー位置テーブル
１８  …電卓側キーボード
１９  …液晶駆動回路
２０  …液晶表示部（ＬＣＤ）
３０  …プロジェクタ
３１  …プロジェクタ側制御部（ＣＰＵ）
３２  …プロジェクタ側ＲＯＭ
３３  …プロジェクタ側Ｉ／Ｏポート（通信手段）
３４  …プロジェクタ側ＲＡＭ
３４ａ…出力画像データ
３４ｅ…入力キー情報メモリ
３５  …プロジェクタ側キー入力部
３６  …画像出力部
３７  …スクリーン
Ｍｋ  …入力キー位置の囲みマーク
Ｍｙ  …入力キー位置の矢印マーク
【図１】
2008108132.tif 000003
【図２】
2008108132.tif 000004
【図３】
2008108132.tif 000005
【図４】
2008108132.tif 000006
【図５】
2008108132.tif 000007
【図６】
2008108132.tif 000008
【図７】
2008108132.tif 000009
【図８】
2008108132.tif 000010
【図９】
2008108132.tif 000011
【図１０】
2008108132.tif 000012
【図１１】
2008108132.tif 000013
【図１２】
2008108132.tif 000014
【図１３】
2008108132.tif 000015
【図１４】
2008108132.tif 000016